【手続補正書】
【提出日】平成16年5月31日(2004.5.31)
【手続補正１】
【補正対象書類名】明細書
【補正対象項目名】全文
【補正方法】変更
【補正の内容】
【書類名】  明細書
【発明の名称】  浴室ユニット
【特許請求の範囲】
【請求項１】  浴槽と、洗い場と、前記洗い場の周囲四方に設けた排水溝部と、前記排水溝部を覆い底面に排水用開口部を設けた溝を備えた排水溝ふたからなり、前記排水溝ふたの角交差部には溝を有さない平面部を形成した浴室ユニット。
【請求項２】  浴槽と、洗い場と、前記洗い場の周囲四方に設けた排水溝部と、前記排水溝部を覆い底面に排水用開口部を設けた溝を備えた排水溝ふたからなり、前記排水溝ふたは浴槽長手側の方が短手側より幅の広い構成とすると共に、短手側の排水溝ふたの端部に溝を有さない平面部を形成した浴室ユニット。
【請求項３】  前記溝を有さない平面部にすべり止めの処理を施した請求項１または２記載の浴室ユニット。
【発明の詳細な説明】
【０００１】
【発明の属する技術分野】
本発明は浴室ユニット関し、特に洗い場床面四方に設置した排水溝と排水溝ふたの表面形状に関するものである。
【０００２】
【従来の技術】
従来この種の浴室ユニットは、図６に示すように、浴槽１、洗い場２、ドア３天井（図示せず）および複数の壁パネル４で構成されており、洗い場２の周囲四方には排水溝５及び排水溝ふた６が備えられている。前記排水溝ふた６には、排水用の溝６ａが全面に設けられている構成であった。
【０００３】
【発明が解決しようとする課題】
しかしながら上記のような構成では、排水溝ふた６が交差する各角部に、排水溝５が直交する状態となるため、この角部排水が流れた場合各角部にて排水の流れに乱流が生じ排水効率が低下したり、また外観性も低下するという問題を有していた。さらに、排水の流れに乱れが生ずると通常は流れに乗って排水される汚れ成分が、流れが乱れた部分に残ったりする現象が発生する。
【０００４】
本発明はかかる従来の問題点を解消するもので、排水効率が良く、汚れも付きにくく、外観性の良好な排水溝ふたを四方に周設した洗い場を有する浴室ユニットを提供することを目的とする。
【０００５】
【課題を解決するための手段】
上記課題を解決するために、本発明の浴室ユニットは、浴槽、洗い場、天井、ドア、壁パネル等より成り、洗い場床面の周囲四方には、交差部に溝を有さない平面部を形成した排水溝ふたを周設した構成とする。
【０００６】
上記発明によれば、洗い場の排水時に乱流が生じず排水効率が良好で、外観性も良好な浴室ユニットを提供することが可能となるものである。
【０００７】
【発明の実施の形態】
本発明の請求項１にかかる発明は、浴槽と、洗い場と、前記洗い場の四方に設けた排水溝部と、前記排水溝部を覆い底面に排水用開口部を設けた溝を備えた排水溝ふたからなり、前記排水溝ふたの交差部には溝を有さない平面部を形成する。
【０００８】
そして、洗い場の排水時に乱流が生じず排水効率が良好で、その結果として排水の流れに乱れが生じないので、通常の流れに乗って排水される汚れ成分がきれいに流れ、汚れが残ったりすることがない。さらに、外観性も良好な浴室ユニットを提供することが可能となるものである。
【０００９】
本発明の請求項２にかかる発明は、浴槽と、洗い場と、前記洗い場の四方に設けた排水溝部と、前記排水溝部を覆い底面に排水用開口部を設けた溝を備えた排水溝ふたからなり、浴槽長手側の方が短手側より幅の広い排水溝と排水溝ふたを有し、短手側の排水溝ふたの端部に溝を有さない平面部を形成する。
【００１０】
そして、浴槽長手側の方が短手側より幅の広い排水溝と排水溝ふたを有する構成であるので、マス部への排水の流れがさらにスムーズになり、排水の流れに乱れが生じないので、通常の流れに乗って排水される汚れ成分がきれいに流れ、汚れが残ったりすることがない。
【００１１】
本発明の請求項３にかかる発明は、前記溝を有さない平面部にすべり止めの処理を施す。
【００１２】
そして、表面にすべり止めのパタ−ンが施されているため、誤って人の足が乗った場合でもすべる恐れが少なくなり安全性の向上が図れる。
【００１３】
【実施例】
以下、本発明の実施例を添付図面に基づいて説明する。
【００１４】
（実施例１）
図１、図２、図３において、１０は床部で洗い場１０ａを備えている。１１は浴槽である。１２は複数枚の壁パネル、１３は扉で天井（図示せず）とともに浴室を構成する。１４は排水溝で、上記洗い場１０ａの周囲四方に周設されている。１５は排水溝１４に載置された排水溝ふたで、溝１５ａ，平面部１５ｂを有し、溝１５ａの底面には、排水用開口部１５ｃが設けられている。１６はますふたである。
【００１５】
上記構成において、洗い場１０ａの周囲四方に周設された排水溝１４に載置された排水溝ふた１５の交差部の平面部１５ｂには、溝１５ａが無く平面部が形成されているため、洗い場１０ａの排水を行なった場合、排水は浴槽長手側、短手側の各々の排水溝ふた１５の溝１５ａに沿って流れ、底面の排水用開口部１５ｃから落下し、排水溝１４に案内される。すなわち、上記交差部の平面部１５ｂからは排水溝１４に排水が流れ込まない。このため、排水が合流し乱流を生じることがなく、排水効率が良好となり、また、溝１５ａが交差することが無いため外観性の向上も可能となるものである。
【００１６】
すなわち、排水の際流れがスムーズであるので、排水の流れに含まれる汚れ成分が流れの乱れにより、汚れが付着することなく、きれいに排水することができる。特に、コーナ部の流れが乱れやすい部分に上述したような措置を行うと有効である。
【００１７】
（実施例２）
次に本発明の実施例２を図４を用いて説明する。図において、１７は洗い場１０ａの浴槽長手側に設けられた排水溝で、１８は同排水溝を覆う排水溝ふた、１９は浴槽短手側に設けられた排水溝で、２０は同排水溝を覆う排水溝ふたである。
【００１８】
上記構成において、浴槽長手側に設けられた排水溝１７，排水溝ふた１８の巾は、浴槽短手側に設けられた排水溝１９，排水溝ふた２０より広いため、洗い場１０ａに排水が行われた場合、排水は浴槽長手側に設けられた排水溝１７，排水溝ふた１８に吸引され、上記排水溝の交差部に合流せずより乱流が生じる度合いが減少し、排水効率が良好となる。
【００１９】
すなわち、排水の際狭いところから広いところへ流れるので、流れがスムーズになり、排水の流れに含まれる汚れ成分が流れの乱れにより、汚れが付着することなく、きれいに排水することができる。
【００２０】
（実施例３）
次に本発明の実施例３を図５を用いて説明する。図において、２１は排水溝ふた１８、２０の交差部の平面部であり、表面にすべり止めのパタ−ンが施されている。上記構成において、排水溝ふた１８、２０の交差部の表面にすべり止めのパタ−ンが施されているため、誤って人の足が乗った場合でもすべる恐れが少なくなり安全性の向上が図れる。
【００２１】
【発明の効果】
以上の説明から明らかなように本発明の請求項１にかかる発明によれば、洗い場排水時、排水効率が良く、汚れの残りにくい浴室ユニットを提供することが可能となる。さらに、外観性に優れた浴室ユニットを提供することも可能となる。
【００２２】
本発明の請求項２にかかる発明によれば、排水がスムーズになり、洗い場排水時、排水効率が更に良く、汚れの残りにくい浴室ユニットを提供することが可能となる。
【００２３】
本発明の請求項３にかかる発明によれば、すべり止めのパタ−ンが施されているため、誤って人の足が乗った場合でもすべる恐れが少なくなり、安全性が向上し、浴室ユニット組立時の作業性も向上する。
【図面の簡単な説明】
【図１】
本発明の実施例１における浴室ユニットの斜視図
【図２】
同浴室ユニットの排水溝部の部分断面斜視図
【図３】
同浴室ユニットの排水溝部の部分断面詳細図
【図４】
本発明の実施例２における浴室ユニットの斜視図
【図５】
本発明の実施例３における浴室ユニットの排水溝部の部分視図
【図６】
従来の浴室ユニットの斜視図
【符号の説明】
１０ａ  洗い場
１４  排水溝
１５  排水溝ふた
１５ａ  溝
１５ｂ  平面部
１５ｃ  排水用開口
１７  （浴槽長手側に設けられた）排水溝
１８  （浴槽長手側に設けられた）排水溝ふた
１９  （浴槽短手側に設けられた）排水溝
２０  （浴槽短手側に設けられた）排水溝ふた
２１  平面部